(57)【要約】【課題】送信されてきた画像データの内容の理解を容易する。【解決手段】画像撮影装置は、撮影条件を入力処理するための撮影条件入力部（１０９〜１１４）と、入力処理された撮影条件を判定する撮影条件判定部（１０８）と、撮影条件の判定に従い、画像を撮影する撮影部（１０２）と、撮影部（１０２）により撮影された画像のデータと、その画像の撮影条件を特定するためのデータを電子メールに編集するデータ編集部（１０４、１０７）と、その編集された電子メールを送信する送信部（１０５、１０６）を備える。【選択図】　図１
2004088482.tif 000002
【特許請求の範囲】
【請求項１】
画像撮影装置であって、
撮影条件を入力処理するための撮影条件入力手段と、
前記入力処理された撮影条件を判定する撮影条件判定手段と、
前記撮影条件の判定に従い、画像を撮影する撮影手段と、
前記撮影手段により撮影された画像のデータと、該撮影された画像の撮影条件を特定するためのデータを電子メールに編集するデータ編集手段と、
前記編集された電子メールを送信する送信手段と、
を備えることを特徴とする画像撮影装置。
【請求項２】
前記撮影条件を判定するための基準撮影条件を設定するための設定手段と、
前記設定手段により設定された基準撮影条件を格納するための記憶手段と、を更に備え、
前記撮影条件判定手段は、該記憶手段に格納されている基準撮影条件と、前記入力処理された撮影条件と、を照合して前記撮影手段で撮影をするか否かの判定をすることを特徴とする請求項１に記載の画像撮影装置。
【請求項３】
前記撮影条件判定手段は、前記撮影条件入力手段に撮影条件として撮影時刻の情報が入力された場合、入力された撮影時刻の情報と、前記記憶手段に予め設定されている基準撮影条件とを照合し、
前記撮影手段は、前記照合が一致する場合に画像を撮影する、ことを特徴とする請求項１または２に記載の画像撮影装置。
【請求項４】
前記データ編集手段は、前記照合が一致する場合に前記撮影された画像のデータが、撮影時刻の情報に従って撮影されたことを特定するためのデータを前記電子メールの本文または表題に表示制御して該電子メールを編集する、ことを特徴とする請求項１または３に記載の画像撮影装置。
【請求項５】
前記撮影条件判定手段は、前記撮影条件入力手段に撮影条件として経過時刻の情報が入力された場合、該入力された経過時刻の情報と、前記記憶手段に予め設定されている基準撮影条件とを照合し、
前記撮影手段は、前記照合が一致する場合に画像を撮影する、ことを特徴とする請求項１または２に記載の画像撮影装置。
【請求項６】
前記データ編集手段は、前記照合が一致する場合に前記撮影された画像のデータが、経過時刻の情報に従って撮影されたことを特定するためのデータを前記電子メールの本文または表題に表示制御して該電子メールを編集する、ことを特徴とする請求項１または５に記載の画像撮影装置。
【請求項７】
前記撮影条件判定手段は、前記撮影条件入力手段に撮影条件としてセンサーの情報が入力された場合、入力されたセンサの情報と、前記記憶手段に予め設定されている基準撮影条件とを照合し、
前記撮影手段は、前記照合が一致する場合に画像を撮影する、ことを特徴とする請求項１または２に記載の画像撮影装置。
【請求項８】
前記データ編集手段は、前記照合が一致する場合に前記撮影された画像のデータが、センサの情報に従って撮影されたことを特定するためのデータを前記電子メールの本文または表題に表示制御して該電子メールを編集する、ことを特徴とする請求項１または７に記載の画像撮影装置。
【請求項９】
前記撮影条件判定手段は、前記撮影条件入力手段に撮影条件としてマイクからの音量の情報が入力された場合、入力された音量の情報と、前記記憶手段に予め設定されている基準撮影条件とを照合し、
前記撮影手段は、前記照合が一致する場合に画像を撮影する、ことを特徴とする請求項１または２に記載の画像撮影装置。
【請求項１０】
前記データ編集手段は、前記照合が一致する場合に前記撮影された画像のデータが、前記マイクからの音量の情報に従って撮影されたことを特定するためのデータを前記電子メールの本文または表題に表示制御して該電子メールを編集する、ことを特徴とする請求項１または９に記載の画像撮影装置。
【請求項１１】
前記撮影条件判定手段は、前記撮影条件入力手段に撮影指示が入力された場合、前記撮影手段は、該撮影指示に基づき画像を撮影する、ことを特徴とする請求項１に記載の画像撮影装置。
【請求項１２】
前記撮影条件入力手段に撮影指示が入力された場合、前記データ編集手段は、前記撮影された画像のデータが、該撮影指示に従って撮影されたことを特定するためのデータを前記電子メールの本文または表題に表示制御して該電子メールを編集する、ことを特徴とする請求項１または１１に記載の画像撮影装置。
【請求項１３】
装着された記録媒体に格納されている画像データを指定するファイル指定手段を更に備え、
前記データ編集手段は、該指定された画像データと、該画像データが記録媒体に格納されたであることを特定するためのデータと、を電子メールで送信するために編集する、ことを特徴とする請求項１に記載の画像撮影装置。
【請求項１４】
前記データ編集手段は、前記画像データが記録媒体に格納されたであることを特定するためのデータを前記電子メールの本文または表題に表示制御して該電子メールを編集する、ことを特徴とする請求項１３に記載の画像撮影装置。
【請求項１５】
前記データ編集手段は、前記照合の結果、複数の基準撮影条件と、前記入力処理された撮影条件と、が一致する場合、該入力処理された撮影条件の組合わせにより、前記電子メールを編集することを特徴とする請求項１乃至１４のいずれか１項に記載の画像撮影装置。
【請求項１６】
前記撮影手段で撮影した画像データを、前記ネットワークに接続するサーバに送信するファイル送信手段を更に有し、
前記データ編集手段は、前記サーバに送信した画像データを特定するためのリンクアドレス情報と、該画像データの撮影条件を特定するためのデータと、を電子メールに編集することを特徴とする請求項１乃至１５のいずれか１項に記載の画像撮影装置。
【請求項１７】
画像撮影装置の制御方法であって、
撮影条件を入力処理するための撮影条件入力工程と、
前記入力処理された撮影条件を判定する撮影条件判定工程と、
前記撮影条件の判定に従い、画像を撮影する撮影工程と、
前記撮影工程の処理により撮影された画像のデータと、該撮影された画像の撮影条件を特定するためのデータと、を電子メールに編集するデータ編集工程と、前記編集された電子メールを送信する送信工程と、
を備えることを特徴とする画像撮影装置の制御方法。
【請求項１８】
画像撮影装置の制御プログラムであって、該プログラムが、
撮影条件を入力処理するための撮影条件入力モジュールと、
前記入力処理された撮影条件を判定する撮影条件判定モジュールと、
前記撮影条件の判定に従い、画像を撮影する撮影モジュールと、
前記撮影モジュールの処理により撮影された画像のデータと、該撮影された画像の撮影条件を特定するためのデータと、を電子メールに編集するデータ編集モジュールと、
前記編集された電子メールを送信する送信モジュールと、
をコンピュータに実行させることを特徴とする制御プログラム。
【請求項１９】
画像撮影装置の制御プログラムを格納したコンピュータ可読の記憶媒体であって、該記憶媒体が、
撮影条件を入力処理するための撮影条件入力モジュールと、
前記入力処理された撮影条件を判定する撮影条件判定モジュールと、
前記撮影条件の判定に従い、画像を撮影する撮影モジュールと、
前記撮影モジュールの処理により撮影された画像のデータと、該撮影された画像の撮影条件を特定するためのデータと、を電子メールに編集するデータ編集モジュールと、
前記編集された電子メールを送信する送信モジュールと、
を有することを特徴とする記憶媒体。
【請求項２０】
画像撮影装置であって、
複数の撮影条件を設定する設定手段と、
前記設定手段により設定された撮影条件の成立に応じて、画像を撮影する撮影手段と、
前記撮影手段により撮影を行った撮影条件を特定するためのデータを電子メールに付加して送信する送信手段と、
を備えることを特徴とする画像撮影装置。
【請求項２１】
前記送信手段は、前記撮影条件を特定するためのデータを電子メールの本文、もしくは、表題に付加して送信することを特徴とする請求項２０に記載の画像撮影装置。
【請求項２２】
前記送信手段は、前記撮影手段により撮影した画像と共に、前記電子メールを送信することを特徴とする請求項２０に記載の画像撮影装置。
【請求項２３】
前記撮影手段により撮影した画像を所定のサーバに転送する転送手段を有し、
前記送信手段は、前記転送手段により転送した画像へのリンクアドレスと共に、前記電子メールを送信することを特徴とする請求項２０に記載の画像撮影装置。
【請求項２４】
画像撮影装置であって、
複数の撮影条件を設定する設定手段と、
前記設定手段により設定された撮影条件の成立に応じて、画像を撮影する撮影手段と、
前記撮影手段により撮影を行った時間に関する情報を電子メールに付加して送信する送信手段と、
を備えることを特徴とする画像撮影装置。
【請求項２５】
画像撮影装置の制御方法であって、
複数の撮影条件を設定する設定工程と、
前記設定工程において設定された撮影条件の成立に応じて、画像を撮影する撮影工程と、
前記撮影工程において撮影を行った撮影条件を特定するためのデータを電子メールに付加して送信する送信工程と、
を備えることを特徴とする画像撮影装置の制御方法。
【請求項２６】
画像撮影装置の制御方法であって、
複数の撮影条件を設定する設定工程と、
前記設定工程において設定された撮影条件の成立に応じて、画像を撮影する撮影工程と、
前記撮影工程において撮影を行った時間に関する情報を電子メールに付加して送信する送信工程と、
を備えることを特徴とする画像撮影装置の制御方法。
【発明の詳細な説明】
【０００１】
【発明の属する技術分野】
本発明はインターネットに接続し、電子メールを送信する機能を備えた画像撮影装置、画像撮影装置の制御方法、その制御プログラム、記憶媒体に関するものである。
【０００２】
【従来の技術】
近年ではインターネットに接続するデジタルカメラ等の画像撮影装置が一般的になり、その画像撮影装置で撮影した画像を電子メールで送信するといった使い方が広く普及している。
【０００３】
最近では、画像撮影装置の電子メール送信機能を応用して予め送信先の電子メールアドレスを設定することによって撮影した画像を自動的に電子メールで送信するということが行われている。本機能を用いると遠隔地に設置した画像撮影装置の画像を電子メールを受信することによって見るといった監視カメラや防犯カメラとしての使い方をすることができる。
【０００４】
画像撮影装置を監視カメラや防犯カメラとして使う例を以下に▲１▼〜▲３▼示す。
【０００５】
▲１▼　定時刻または一定間隔毎に撮影し撮影した画像を電子メールで送信する。
【０００６】
▲２▼　感知センサーを画像撮影装置に接続し人感知センサーが反応した時に撮影を行い撮影した画像を電子メールで送信する。
【０００７】
▲３▼　画像撮影装置にマイクを設けマイクから入力した音量が一定レベル以上の場合に撮影を行い撮影した画像を電子メールで送信する。
【０００８】
例えば▲１▼は子供やペット等を外出先から安全確認するのに有用である。▲２▼▲３▼は留守宅への侵入者の監視や車等へのいたずらの監視に有用である。
【０００９】
【発明が解決しようとする課題】
しかしながら従来例では、電子メールを受信した側にはどういう条件によって撮影された画像データであるかわからないので、電子メールの受信者が忙しい時などは、適時にその画像を見ない場合もあり、また、その受信した電子メールにより配信された画像データの内容を実際に画像を見ないとわからないという欠点がある。
【００１０】
【課題を解決するための手段】
本出願にかかる発明は、画像撮影装置がユーザから離れた場所に設置されていても、撮影が行われた理由（例えば、定期撮影なのか、センサーが反応したのか。）を容易に判断できるようにすることを目的とするものである。
【００１１】
上記目的を達成するため本発明にかかる画像撮影装置、画像撮影装置の制御方法等は主として以下の構成よりなることを特徴とする。
【００１２】
すなわち、画像撮影装置は、
撮影条件を入力処理するための撮影条件入力手段と、
前記入力処理された撮影条件を判定する撮影条件判定手段と、
前記撮影条件の判定に従い、画像を撮影する撮影手段と、
前記撮影手段により撮影された画像のデータと、該撮影された画像の撮影条件を特定するためのデータを電子メールに編集するデータ編集手段と、
前記編集された電子メールを送信する送信手段と、
を備えることを特徴とする。
【００１３】
好ましくは、上記の画像撮影装置において、前記撮影条件を判定するための基準撮影条件を設定するための設定手段と、
前記設定手段により設定された基準撮影条件を格納するための記憶手段と、を更に備え、
前記撮影条件判定手段は、該記憶手段に格納されている基準撮影条件と、前記入力処理された撮影条件と、を照合して前記撮影手段で撮影をするか否かの判定をする。
【００１４】
好ましくは、上記の画像撮影装置において、前記撮影条件判定手段は、前記撮影条件入力手段に撮影条件として撮影時刻の情報が入力された場合、入力された撮影時刻の情報と、前記記憶手段に予め設定されている基準撮影条件とを照合し、
前記撮影手段は、前記照合が一致する場合に画像を撮影する。
【００１５】
好ましくは、上記の画像撮影装置において、前記データ編集手段は、前記照合が一致する場合に前記撮影された画像のデータが、撮影時刻の情報に従って撮影されたことを特定するためのデータを前記電子メールの本文または表題に表示制御して該電子メールを編集する。
【００１６】
好ましくは、上記の画像撮影装置において、前記撮影条件判定手段は、前記撮影条件入力手段に撮影条件として経過時刻の情報が入力された場合、該入力された経過時刻の情報と、前記記憶手段に予め設定されている基準撮影条件とを照合し、
前記撮影手段は、前記照合が一致する場合に画像を撮影する。
【００１７】
好ましくは、上記の画像撮影装置において、前記データ編集手段は、前記照合が一致する場合に前記撮影された画像のデータが、経過時刻の情報に従って撮影されたことを特定するためのデータを前記電子メールの本文または表題に表示制御して該電子メールを編集する。
【００１８】
好ましくは、上記の画像撮影装置において、前記撮影条件判定手段は、前記撮影条件入力手段に撮影条件としてセンサーの情報が入力された場合、入力されたセンサの情報と、前記記憶手段に予め設定されている基準撮影条件とを照合し、
前記撮影手段は、前記照合が一致する場合に画像を撮影する。
【００１９】
好ましくは、上記の画像撮影装置において、前記データ編集手段は、前記照合が一致する場合に前記撮影された画像のデータが、センサの情報に従って撮影されたことを特定するためのデータを前記電子メールの本文または表題に表示制御して該電子メールを編集する。
【００２０】
好ましくは、上記の画像撮影装置において、前記撮影条件判定手段は、前記撮影条件入力手段に撮影条件としてマイクからの音量の情報が入力された場合、入力された音量の情報と、前記記憶手段に予め設定されている基準撮影条件とを照合し、
前記撮影手段は、前記照合が一致する場合に画像を撮影する。
【００２１】
好ましくは、上記の画像撮影装置において、前記データ編集手段は、前記照合が一致する場合に前記撮影された画像のデータが、前記マイクからの音量の情報に従って撮影されたことを特定するためのデータを前記電子メールの本文または表題に表示制御して該電子メールを編集する。
【００２２】
好ましくは、上記の画像撮影装置において、前記撮影条件判定手段は、前記撮影条件入力手段に撮影指示が入力された場合、前記撮影手段は、該撮影指示に基づき画像を撮影する。
【００２３】
好ましくは、上記の画像撮影装置において、前記撮影条件入力手段に撮影指示が入力された場合、前記データ編集手段は、前記撮影された画像のデータが、該撮影指示に従って撮影されたことを特定するためのデータを前記電子メールの本文または表題に表示制御して該電子メールを編集する。
【００２４】
好ましくは、上記の画像撮影装置において、装着された記録媒体に格納されている画像データを指定するファイル指定手段を更に備え、
前記データ編集手段は、該指定された画像データと、該画像データが記録媒体に格納されたであることを特定するためのデータと、を電子メールで送信するために編集する。
【００２５】
好ましくは、上記の画像撮影装置において、前記データ編集手段は、前記画像データが記録媒体に格納されたであることを特定するためのデータを前記電子メールの本文または表題に表示制御して該電子メールを編集する。
【００２６】
好ましくは、上記の画像撮影装置において、前記データ編集手段は、前記照合の結果、複数の基準撮影条件と、前記入力処理された撮影条件と、が一致する場合、該入力処理された撮影条件の組合わせにより、前記電子メールを編集する。
【００２７】
好ましくは、上記の画像撮影装置において、前記撮影手段で撮影した画像データを、前記ネットワークに接続するサーバに送信するファイル送信手段を更に有し、
前記データ編集手段は、前記サーバに送信した画像データを特定するためのリンクアドレス情報と、該画像データの撮影条件を特定するためのデータと、を電子メールに編集する。
【００２８】
また、画像撮影装置の制御方法は、
撮影条件を入力処理するための撮影条件入力工程と、
前記入力処理された撮影条件を判定する撮影条件判定工程と、
前記撮影条件の判定に従い、画像を撮影する撮影工程と、
前記撮影工程の処理により撮影された画像のデータと、該撮影された画像の撮影条件を特定するためのデータと、を電子メールに編集するデータ編集工程と、前記編集された電子メールを送信する送信工程と、を備えることを特徴とする。
【００２９】
また、画像撮影装置の制御プログラムであって、該プログラムが、
撮影条件を入力処理するための撮影条件入力モジュールと、
前記入力処理された撮影条件を判定する撮影条件判定モジュールと、
前記撮影条件の判定に従い、画像を撮影する撮影モジュールと、
前記撮影モジュールの処理により撮影された画像のデータと、該撮影された画像の撮影条件を特定するためのデータと、を電子メールに編集するデータ編集モジュールと、
前記編集された電子メールを送信する送信モジュールと、
をコンピュータに実行させることを特徴とする。
【００３０】
また、画像撮影装置の制御プログラムを格納したコンピュータ可読の記憶媒体であって、該記憶媒体が、
撮影条件を入力処理するための撮影条件入力モジュールと、
前記入力処理された撮影条件を判定する撮影条件判定モジュールと、
前記撮影条件の判定に従い、画像を撮影する撮影モジュールと、
前記撮影モジュールの処理により撮影された画像のデータと、該撮影された画像の撮影条件を特定するためのデータと、を電子メールに編集するデータ編集モジュールと、
前記編集された電子メールを送信する送信モジュールと、を有することを特徴とする。
【００３１】
また、画像撮影装置は、
複数の撮影条件を設定する設定手段と、
前記設定手段により設定された撮影条件の成立に応じて、画像を撮影する撮影手段と、
前記撮影手段により撮影を行った撮影条件を特定するためのデータを電子メールに付加して送信する送信手段と、を備えることを特徴とする。
【００３２】
好ましくは、上記の画像撮影装置において、前記送信手段は、前記撮影条件を特定するためのデータを電子メールの本文、もしくは、表題に付加して送信することを特徴とする。
【００３３】
好ましくは、上記の画像撮影装置において、前記送信手段は、前記撮影手段により撮影した画像と共に、前記電子メールを送信する。
【００３４】
好ましくは、上記の画像撮影装置において、前記撮影手段により撮影した画像を所定のサーバに転送する転送手段を有し、
前記送信手段は、前記転送手段により転送した画像へのリンクアドレスと共に、前記電子メールを送信する。
【００３５】
また、画像撮影装置は、
複数の撮影条件を設定する設定手段と、
前記設定手段により設定された撮影条件の成立に応じて、画像を撮影する撮影手段と、
前記撮影手段により撮影を行った時間に関する情報を電子メールに付加して送信する送信手段と、
を備えることを特徴とする。
【００３６】
また、画像撮影装置の制御方法は、
複数の撮影条件を設定する設定工程と、
前記設定工程において設定された撮影条件の成立に応じて、画像を撮影する撮影工程と、
前記撮影工程において撮影を行った撮影条件を特定するためのデータを電子メールに付加して送信する送信工程と、を備えることを特徴とする。
【００３７】
また、画像撮影装置の制御方法は、
複数の撮影条件を設定する設定工程と、
前記設定工程において設定された撮影条件の成立に応じて、画像を撮影する撮影工程と、
前記撮影工程において撮影を行った時間に関する情報を電子メールに付加して送信する送信工程と、を備えることを特徴とする。
【００３８】
【発明の実施の形態】
以下、図面を参照して、本発明にかかる実施形態を説明する。
【００３９】
＜＜第１実施形態＞＞
図１は第１実施形態にかかる画像撮影装置１０１の構成を示すブロック図である。１０１は画像撮影装置、１０２は画像の撮影を行うカメラ部、１０３はカメラ部で撮影した画像をファイルにする画像ファイル作成部、１０４は電子メールの作成を行う電子メール編集部、１０５は電子メール編集部１０４で作成した電子メールの送信を行う電子メール送信部、１０６はインターネットへの接続制御を行う通信制御部である。
【００４０】
１０７は撮影条件に対応したテキスト文を記憶しておくテキスト文記憶エリアであり、１０７Ａ〜１０７Ｅはそれぞれ撮影条件Ａ〜Ｅに対応したテキスト文である。
【００４１】
１０８は撮影条件を判定して、カメラ部１０２の制御を行ったり撮影条件を電子メール編集部１０４に通知を行ったりする撮影条件判定部である。
【００４２】
１０９は時刻の通知を行う時刻通知部であり、１１０は時間経過の通知を行うタイマである。この時刻通知部とタイマとにより所定の時刻と時間経過とを撮影条件の１部として利用することが可能になる。
【００４３】
１１１はセンサーを画像撮影装置に接続した場合に、そのセンサーからセンサー入力があった場合に、通知を行うためのセンサー入力端子であり、１１２はマイク、１１３はマイク１１２からの音量が一定レベル以上の場合に通知を行う音入力レベル判定部、１１４は画像撮影装置１０１の使用者が撮影の要求の入力を行う撮影ボタン、１１５は撮影条件が格納されている撮影条件設定エリア、１１６は撮影条件を設定するための撮影条件設定部である。
【００４４】
図２はテキスト文記憶エリア１０７の内容を例示する図であり、テキスト文記憶エリア１０７は撮影した画像の条件Ａ〜Ｅの内容を明示するテキスト文１０７Ａ〜１０７Ｅを格納する。
【００４５】
条件Ａ：予め設定された時刻になった場合に撮影する。
【００４６】
条件Ｂ：予め設定された時間が経過する毎に撮影する。
【００４７】
条件Ｃ：センサー入力端子１１１に接続したセンサーの入力があった場合に撮影する。
【００４８】
条件Ｄ：マイク１１２から入力した音量が一定レベル以上の場合に撮影する。
【００４９】
条件Ｅ：撮影ボタン１１４が押された場合に撮影する。
【００５０】
図３は画像撮影装置１０１が送信するメールの内容を例示する図である。図３は条件Ｃ（センサー入力端子１１１に接続したセンサーの入力があった場合に撮影する）の場合の例である。このメールは電子メール編集部１０４により編集され、電子メール送信部１０５により所定の送信アドレスに従い送信される。
【００５１】
図４は設定条件設定エリア１１５の内容の例を示す図であり、図４においては、センサー入力があった場合、時刻のパラメータ（０７：００、０８：３０）と一定間隔の時間毎（１９：００〜１９：３０まで１分間隔）にメールを送信するパラメータが設定されている。この撮影条件の設定は撮影条件設定部１１６の処理により行なわれる。
【００５２】
図５は本実施形態にかかる画像撮影装置１０１の処理の流れを説明するフローチャートであり、図６は図５のフローチャートの処理における『撮影とメール送信』（Ｓ５１６）の処理を詳細に説明するフローチャートである
以下、図５、図６のフローチャートに従って具体的な処理の流れを説明する。
【００５３】
図１の撮影条件判定部１０８は、例えば、時刻通知や時間経過等に関するなんらかの通知があった場合（Ｓ５０２−ＹＥＳ、Ｓ５０５−ＹＥＳ、Ｓ５０８−ＹＥＳ、Ｓ５１１−ＹＥＳ、Ｓ５１４−ＹＥＳ）、撮影条件判定部はその入力された撮影条件が撮影条件設定エリア１１５に設定されている条件であるかどうかを判定する（Ｓ５０３、Ｓ５０６、Ｓ５０９、Ｓ５１２）。
【００５４】
電子メール編集部１０４は撮影条件判定部１０８により判定された撮影条件に基づいて、テキスト文記憶エリア１０７に格納されているテキスト文より撮影条件に対応したよりテキスト文をそれぞれ選択する（Ｓ５０４、Ｓ５０７、Ｓ５１０、Ｓ５１３、Ｓ５１４）。
【００５５】
撮影条件判定部１０８で入力された撮影条件が撮影条件設定エリア１１５に設定されている条件であることが判定された場合（Ｓ５０３−ＹＥＳ、Ｓ５０６−ＹＥＳ、Ｓ５０９−ＹＥＳ、Ｓ５１２−ＹＥＳ）、カメラ部１０２は画像の撮影を行い（Ｓ５１６、Ｓ６０２）、画像ファイル作成部１０３は撮影した画像から画像ファイルを作成する（Ｓ６０３）。この場合、撮影する画像に関しては静止画像／動画像の何れかを問わない。
【００５６】
次に作成した画像ファイルを添付ファイルとして撮影条件に応じて選択したテキスト文を本文とした電子メールを電子メール編集部１０４が作成する（Ｓ６０４）。
【００５７】
そして、作成された電子メールは電子メール送信部１０５によって送信される（Ｓ６０５）。
【００５８】
撮影条件は図２で説明したように、条件Ａ〜Ｅの１以上の任意の組み合わせで設定することができる。例えば、図４の例では以下の▲１▼〜▲４▼もしくは撮影ボタン１１４が押された場合に撮影が行われる。
【００５９】
▲１▼　センサーの入力があった。
【００６０】
▲２▼　時刻が７時になった。
【００６１】
▲３▼　時刻が８時３０分になった。
【００６２】
▲４▼　１９時〜１９時３０の間で１分間毎。
【００６３】
以下では条件Ａ〜Ｅの各条件に対する動作を説明する。
【００６４】
＜条件Ａ（予め設定された時刻になった場合に撮影する）の時の動作＞
撮影条件判定部１０８は、時刻通知部１０９より時刻が通知された場合（Ｓ５０２−ＹＥＳ））、処理をステップＳ５０３に進め、撮影条件設定エリア１１５を参照して、時刻通知部１０９より通知された時刻に撮影を行うという条件が設定されているかどうかを判定する（Ｓ５０３）。撮影条件が設定されていた場合（Ｓ５０３−ＹＥＳ）は、テキスト文１０７Ａを選択して（Ｓ５０４）、『撮影とメール送信』（Ｓ５１６）に処理を移行する。
【００６５】
＜条件Ｂ（予め設定された時間が経過する毎に撮影する）の時の動作＞
撮影条件判定部１０８は、タイマ１１０より一定時間の経過が通知された場合（Ｓ５０５）、撮影条件設定エリア１１５を参照して、一定間隔毎で撮影を行うという条件が設定されているかどうかを判定する（Ｓ５０６）。撮影条件が設定されていた場合（Ｓ５０６−ＹＥＳ）は、テキスト文１０７Ｂを選択して（Ｓ５０７）、『撮影とメール送信』（Ｓ５１６）に処理を移行する。
【００６６】
条件Ｂの判断において、一定時間の経過毎に撮影する方法としてはタイマ１１０のみによらず、例えば時刻通知部１０９より時刻が通知された場合に撮影条件設定エリア１１５を参照して、一定間隔毎で撮影を行うという条件が設定されていた場合、一定間隔毎の撮影の開始時刻と一致した時はその設定に基づき、タイマ１１０を起動しタイマの条件による撮影を開始し、一定間隔毎の撮影の終了時刻に従いタイマの条件による撮影を終了することもできる。
【００６７】
＜条件Ｃ（センサー入力端子１１１に接続したセンサーの入力があった場合＞
撮影条件判定部１０８は、センサー入力端子１１１よりセンサーの入力が通知された場合（Ｓ５０８−ＹＥＳ）、撮影条件設定エリア１１５を参照して、センサー入力で撮影を行うという条件が設定されているかどうかを判定し（Ｓ５０９）、設定されていた場合はテキスト文１０７Ｃを選択して（Ｓ５１０）、『撮影とメール送信』（Ｓ５１６）に処理を移行する。
【００６８】
この場合、センサーとしては、例えば留守宅への侵入者が入ったときに撮影を行うという使用法の場合は人感センサーやドアセンサーがあげられる。
【００６９】
＜条件Ｄ（マイク１１２から入力した音量が一定レベル以上の場合に撮影する）の時の動作＞
撮影条件判定部１０８は、マイク１１２から音の入力があり音入力レベル判定部１１３で一定レベル以上であると判断されて通知があった場合（Ｓ５１１−ＹＥＳ）、撮影条件設定エリア１１５を参照して、音の入力で撮影を行うという条件が設定されているかどうかを判定し（Ｓ５１２）、設定されていた場合はテキスト文１０７Ｄを選択して（Ｓ５１３）、『撮影とメール送信』（Ｓ５１６）に処理を移行する。
【００７０】
＜条件Ｅ（撮影ボタン１１４が押された場合に撮影する）の時の動作＞
撮影条件判定部１０８は、撮影ボタン１１４が押された場合にテキスト文１０７Ｅを選択して（Ｓ５１５）、『撮影とメール送信』（Ｓ５１６）に処理を移行する。
【００７１】
図３は第１実施形態における画像撮影装置１０１が送信する電子メールの例であるが、本電子メールの受信者は電子メールの本文を見ることによって添付の画像ファイルはセンサーの入力に基づき撮影された画像であることを即座に理解することが可能になる。
【００７２】
すなわち、画像撮影装置１０１より画像が添付されたメールを受信した場合にメールの本文を見るだけでどういう条件で撮影された画像データであるかを容易に把握することが可能になる。
【００７３】
また、このメールの本文の情報に基づいて、次の行動がすみやかに行えるという効果がある。例えばセンサー入力の場合は緊急であることが想定されるので忙しい時でもすぐに画像を見るが、それ以外の場合は後で見るなど優先順位付けを行なう手段として時間の有効活用を図ることが可能になる。
【００７４】
また、メール受信側の装置においてメール受信のアプリケーションを工夫することによってメールの本文によって送られてきた画像のフィルタリングを行え、例えば撮影条件毎に送られてきた画像を保存するフォルダを変えるということもできる。
【００７５】
＜＜第２実施形態＞＞
図７は第２実施形態にかかる画像撮影装置１０１ａのブロック図である。同図において、７０１はメモリカード７０３を画像撮影装置１０１ａに収容する為のメモリカードインタフェースであり、７０２はメモリカード７０３内に格納されているファイルの中で送信するファイルを指定する為のファイル指定部であり、７０３はメモリカードである。
【００７６】
図８はテキスト文記憶エリア１０７の内容を例示する図である。条件ＡからＥまでは、図２に示した内容と同様であり、条件Ｆが新たに追加されている。条件Ｆはメモリカード内に格納されている画像データであることを特定するものであり、テキスト文Ｆはテキスト文記憶エリア１０７に格納されている。
【００７７】
図９はメモリカード内の画像ファイルを添付ファイルとして送信した場合の画像撮影装置１０１ａが送信するメールの内容の例である。このメールは電子メール編集部１０４により編集され、電子メール送信部１０５により所定の送信アドレスに従い送信される。
【００７８】
図１０は第２実施形態における処理の流れを説明するフローチャートである。第２実施形態にける画像撮影装置１０１ａは、撮影条件の照合が成立した場合に撮影を行い、その撮影した画像を添付ファイルとして電子メールで送信するという第１実施形態で説明した機能の他に画像撮影装置１０１ａがメモリカード１０３内に格納されている画像ファイルも添付ファイルとして電子メールで送信できるという機能も備えるものである。以下、図１０のフローチャートに沿って説明する。
【００７９】
ファイル指定部７０２によって指定されたメモリカード７０３内ファイルが指定されると、指定されたファイルをメモリカード７０３からメモリカードインタフェース７０１を介して読み込む（Ｓ１００２）。
【００８０】
そして、この読み込んだ画像ファイルを添付ファイルとして、電子メール編集部１０４はメモリカードに格納された画像データであることを特定するためのデータとして、テキスト文記憶エリアからテキスト文Ｆを選択し、これを本文とした電子メールを編集する（Ｓ１００３）。
【００８１】
そして、電子メール送信部１０５は編集された電子メールを送信し（Ｓ１００４）、処理を終了する。
【００８２】
図９は第２実施形態にかかる画像撮影装置１０１ａが送信する電子メールの例であるが、本電子メールの受信者は電子メールの本文を見ることによって添付の画像ファイルはメモリカード内の画像ファイルであることを即座に理解することが可能になる。
【００８３】
また、このメールの本文の情報に基づいて、次の行動がすみやかに行えるという効果がある。例えばメモリカード内のファイルは緊急度が低いので後で見て、それ以外の場合はすぐに画像を見るなど優先順位付けを行なう手段として時間の有効活用を図ることが可能になる。
【００８４】
尚、第２実施形態においてメモリとしてはメモリカードとした例を記載したが、メモリとしてはＲＡＭ、ハードディスク、ＣＤ−ＲＯＭ、フロッピーディスク等のファイルが記憶できる媒体であれば同様に利用することが可能である。
【００８５】
＜＜第３実施形態＞＞
第３実施形態では、撮影条件の照合が成立した場合に撮影を行い、撮影した画像を添付ファイルとして電子メールで送信する場合に、撮影した時刻、日付をテキスト化して電子メールの本文に挿入するというものである。
【００８６】
図１１は時刻情報を電子メールの本文に挿入した場合において、画像撮影装置１０１が送信するメールの内容（撮影条件と時刻）を例示する図である。また、図１２は時刻情報と日付情報を電子メールの本文に挿入した場合に、画像撮影装置１０１が送信するメールの内容（撮影条件、日付と時刻）を例示する図である。図１１と図１２ともに７時になった場合に撮影を行うという条件Ａ（予め設定された時刻になった場合に撮影する）（図２、図４を参照のこと）によって撮影した画像ファイルを送信した場合の例である。
【００８７】
図１３は図５のフローチャートの『撮影とメール送信』（Ｓ５１６）の処理において、第３実施形態における処理を説明するフローチャートである。図６のフローチャート（第１実施形態）と図１３のフローチャートとは、ステップＳ１３０１のみが相違する。
【００８８】
まず、カメラ部１０２において画像が撮影され（Ｓ６０２）、画像ファイル作成部１０３はその画像に基づいて画像ファイルを作成する（Ｓ６０３）。次に、作成された画像ファイルを添付ファイルとして撮影条件に応じて選択したテキスト文と撮影した時の時刻情報及び／または日付情報をテキスト化した文を本文とした電子メールを電子メール編集部１０４が作成する（Ｓ１３０１）。
【００８９】
本実施形態により、電子メールの受信者は電子メールの本文を見ることによって画像を撮影した時刻及び／または日付を即座に理解することが可能になる。
【００９０】
また、第３実施形態にかかる画像撮影装置より画像が添付されたメールを受信した場合に、メールの本文を見るだけで撮影した時刻等がわかるので次の行動がすみやかに行えるという効果がある。例えば何らかの原因でメールの受信が遅れた場合でも本文の撮影時刻等を見ることによって、撮影時刻等の早い順、遅い順など画像データの優先順位づけを行なうことが可能になり、電子メールの受信者はその優先順位に従い画像データをチェックすることで、時間の有効活用を図ることが可能になる。
【００９１】
また、メール受信側の装置においてメール受信のアプリケーションを工夫することによってメールの本文によって送られてきた画像のフィルタリングを行え、例えばメールの到着時刻ではなくメール本文に記載されている時刻順に画像を並べたりすることができる。
【００９２】
更に、日付情報を挿入することによってメール受信側の装置においてメール受信のアプリケーションを工夫することによってメールの本文によって送られてきた画像のフィルタリングを行え、例えば撮影の日付毎に送られてきた画像を保存するフォルダを変えるということもできる。
【００９３】
また、日付情報と時刻情報を同時にメールの本文に入れることによってさらに時刻情報の精度があがるので日をまたがって遅れて受信したメールに関しても正確な処理が行える。
【００９４】
また、第３実施形態においては第１、２実施形態で説明した撮影条件と一緒に時刻、日付の情報を本文に挿入しているが、この編集形式に限定されず、撮影時刻のみを本文データとして電子メールを編集してもよいし（図１４を参照）、撮影の日付の情報だけを本文データとして電子メールを編集してもよい（図１５）。
【００９５】
＜＜第４実施形態＞＞
第１実施形態においては撮影条件に応じたテキスト文を電子メールの本文に挿入したが、第４実施形態では撮影条件に応じたテキスト文を電子メールの表題に挿入するといものである。
【００９６】
図１６はテキスト文記憶エリア１０７に格納されている各条件（Ａ’〜Ｅ’）に対応し、表題として挿入するテキスト文の内容を例示する図である。
【００９７】
図１７は画像撮影装置１０１が送信するメールの内容の例である。図１７は条件Ｃ（センサー入力端子１１１に接続したセンサーの入力があった場合に撮影する）の場合の例であり、Ｓｕｂｊｅｃｔの部分に「センサー」なるテキスト文が挿入されている。
【００９８】
図１８は第４実施形態における図５のフローチャートの『撮影とメール送信』（Ｓ５１６）の具体的な処理を説明するフローチャートである。図６のフローチャート（第１実施形態）と図１８のフローチャートとは、ステップＳ１８０１のみが相違する。
【００９９】
まず、カメラ部１０２において画像が撮影され（Ｓ６０２）、画像ファイル作成部１０３はその画像に基づいて画像ファイルを作成する（Ｓ６０３）。次に、作成した画像ファイルを添付ファイルとして、その撮影条件に応じて選択したテキスト文を表題とした電子メールを電子メール編集部１０４は作成する（Ｓ１８０１）。
【０１００】
そして、電子メール送信部１０５は作成した電子メールを送信（Ｓ６０５）して処理を終了する。
【０１０１】
図１７は第４実施形態にかかる画像撮影装置が送信する電子メールの例であるが、本電子メールの受信者は電子メールの表題を見ることによって添付の画像ファイルはセンサーが入力された場合に撮影された画像であることを即座に理解することが可能になる。
【０１０２】
また、メール受信側の装置においてメール受信のアプリケーションを工夫することによってメールの表題によって送られてきた画像のフィルタリングを行え、例えば撮影条件毎に送られてきた画像を保存するフォルダを変えるということもできる。
【０１０３】
＜＜第５実施形態＞＞
第２実施形態においてはメモリカード内のファイルであることを示すテキスト文を電子メールの本文に挿入したが、第５実施形態ではメモリカード内のファイルであることを示すテキスト文を電子メールの表題に挿入するといものである。
【０１０４】
図１９はテキスト文記憶エリア１０７の内容を例示する図であり、テキスト文記憶エリア１０７は撮影した画像の条件Ａ’〜Ｆ’の内容を明示するテキスト文Ａ’〜Ｆ’を格納する。テキスト文Ｆ’はメモリカード内の画像ファイルを添付ファイルとしてメール送信した場合に対応する。
【０１０５】
図２０はメモリカード内の画像ファイルを添付ファイルとして送信した場合の画像撮影装置１０１ａが送信するメールの内容の例である。図２０の場合は条件Ｆ’（メモリカードから画像データが入力された場合入力があった場合）の例である。このメールは電子メール編集部１０４により編集され、電子メール送信部１０５により所定の送信アドレスに従い送信される。
【０１０６】
図２１は第５実施形態の処理の流れを説明するフローチャートである。本実施形態にける画像撮影装置１０１ａは、撮影条件が成立した場合に撮影を行い、撮影した画像を添付ファイルとして電子メールで送信するという第４実施形態で説明した機能の他に画像撮影装置１０１ａがメモリカード７０３内に格納している画像ファイルも添付ファイルとして電子メールで送信することができるという機能も備える。
【０１０７】
以下、図２１のフローチャートに沿って第５実施形態の処理を説明する。まず、ファイル指定部７０２（図７参照）によって指定されたメモリカード７０３内のファイルが指定されると、指定されたファイルをメモリカード２０３からメモリカードインタフェース７０１を介して読み込む（Ｓ１００２）。そして、読み込んだ画像ファイルを添付ファイルとして、選択したテキスト文Ｆ’を表題とした電子メールを電子メール編集部１０４が作成する（Ｓ２１０１）。本ステップの処理が図１０のステップＳ１００３と相違することになる。
【０１０８】
そして、電子メール送信部１０５は作成した電子メールを所定の送信アドレスに従って送信し（Ｓ１００４）、処理を終了する。
【０１０９】
図２０は第５実施形態にかかる画像撮影装置が送信する電子メールの例であるが、本電子メールの受信者は電子メールの本文を見ることによって添付の画像ファイルはメモリカード内の画像ファイルであることを即座に理解することが可能になる。
【０１１０】
また、メールの表題を見るだけでメモリカード内の画像ファイルであるということががわかるので次の行動がすみやかに行えるという効果がある。例えばメモリカード内のファイルは緊急度が低いので後で見て、それ以外の場合はすぐに画像を見るなど優先順位付けを行なう手段として時間の有効活用が可能になる。
【０１１１】
また、メール受信側の装置においてメール受信のアプリケーションを工夫することによってメールの表題によって送られてきた画像のフィルタリングを行え、例えばメモリカード内のファイルを送られてきた場合は画像を保存するフォルダを変えるということもできる。
【０１１２】
尚、第５実施形態においてメモリとしてはメモリカードとした例を記載したが、メモリとしてはＲＡＭ、ハードディスク、ＣＤ−ＲＯＭ、フロッピーディスク等のファイルが記憶できる媒体であれば同様に利用することが可能である。
【０１１３】
＜＜第６実施形態＞＞
第３実施形態においては撮影した時刻・日付をテキスト化して電子メールの本文に挿入したが、第６実施形態では撮影した時刻・日付をテキスト化して電子メールの表題に挿入するといものである。
【０１１４】
図２２は時刻情報を電子メールの表題に挿入した場合に画像撮影装置１０１が送信するメールの内容を例示する図である。図２２は７時になった場合に撮影を行うという条件Ａ（予め設定された時刻になった場合に撮影する（図２、図４を参照））によって撮影した画像ファイルを送信した場合の例である。
【０１１５】
図２３は図５のフローチャートの『撮影とメール送信』（Ｓ５１６）の処理において、第６実施形態における処理を説明するフローチャートである。図６、図１３のフローチャートとは、ステップＳ２３０１のみが相違する。
【０１１６】
まず、カメラ部１０２において画像が撮影され（Ｓ６０２）、画像ファイル作成部１０３はその画像に基づいて画像ファイルを作成する（Ｓ６０３）。次に、作成した画像ファイルを添付ファイルとして撮影条件に応じて選択したテキスト文と撮影した時の時刻情報及び／または日付情報をテキスト化した文を表題とした電子メールを電子メール編集部１０４が作成する（Ｓ２３０１）。
【０１１７】
そして、電子メール送信部１０５は作成した電子メールを送信（Ｓ６０５）して処理を終了する。
【０１１８】
本実施形態により、電子メールの受信者は電子メールの表題を見ることによって画像を撮影した時刻及び／または日付を即座に理解することが可能になる。
【０１１９】
また、第６実施形態にかかる画像撮影装置より画像が添付されたメールを受信した場合に、メールの表題を見るだけで撮影した時刻等がわかるので次の行動がすみやかに行えるという効果がある。例えば何らかの原因でメールの受信が遅れた場合でも表題の撮影時刻等を見ることによって、撮影時刻等の早い順、遅い順など画像データの優先順位づけを行なうことが可能になり、電子メールの受信者はその優先順位に従い画像データをチェックすることで、時間の有効活用を図ることが可能になる。
【０１２０】
また、メール受信側の装置においてメール受信のアプリケーションを工夫することによってメールの表題によって送られてきた画像のフィルタリングを行え、例えばメールの到着時刻ではなくメール表題に記載されている時刻順に画像を並べたりすることができる。
【０１２１】
更に、日付情報を挿入することによってメール受信側の装置においてメール受信のアプリケーションを工夫することによってメールの本文によって送られてきた画像のフィルタリングを行え、例えば撮影の日付毎に送られてきた画像を保存するフォルダを変えるということもできる。
【０１２２】
また、日付情報と時刻情報を同時にメールの表題に入れることによってさらに時刻情報の精度があがるので日をまたがって遅れて受信したメールに関しても正確な処理が行える。
【０１２３】
また、第６実施形態においては第４、５実施形態で説明した撮影条件と一緒に時刻、日付の情報を表題に挿入しているが、この編集形式に限定されず、撮影時刻のみを表題データとして電子メールを編集してもよいし（図２４を参照）、撮影の時刻及び日付の情報だけを表題データとして電子メールを編集してもよい（図２５）。
＜＜第７実施形態＞＞
図２６は第７実施形態にかかる画像撮影装置１０１ｂの構成を示すブロック図である。同図において、２６０１は画像ファイルをインターネット上のサーバに送信するファイル送信部である。
【０１２４】
図２７は画像撮影装置１０１ｂが送信するメールの内容の例である。図２７は条件Ｃ（センサー入力端子１１１に接続したセンサーの入力があった場合に撮影する）の場合の例である。
【０１２５】
図２８は図５のフローチャートの『撮影とメール送信』（Ｓ５１６）の処理において、第７実施形態における処理を説明するフローチャートである。図６のフローチャート（第１実施形態）と図２８とは、ステップＳ２８０１、Ｓ２８０２が相違する。
【０１２６】
まず、カメラ部１０２において画像が撮影され（Ｓ６０２）、画像ファイル作成部１０３はその画像に基づいて画像ファイルを作成する（Ｓ６０３）。次に、ファイル送信部２６０１は作成された画像ファイルをサーバへ転送する（Ｓ２８０１）。そして、サーバに転送した画像ファイルへのリンクアドレスをテキスト化した文と撮影条件に応じて選択したテキスト文を本文とした電子メールを電子メール編集部１０４は作成する（Ｓ２８０２）。そして、電子メール送信部１０５は作成した電子メールを送信（Ｓ６０５）して処理を終了する。
【０１２７】
一般的には、画像ファイルの送信にはＦＴＰ（Ｆｉｌｅ　Ｔｒａｎｓｆｅｒ　Ｐｒｏｔｏｃｏｌ）が用いられ、送信された画像ファイルの閲覧にはＨＴＴＰ（Ｈｙｐｅｒ　Ｔｅｘｔ　Ｔｒａｎｓｆｅｒ　Ｐｒｏｔｏｃｏｌ）を用いてブラウザで閲覧するという方法が用いられている。また、画像ファイルを転送する場合のサーバのアドレスはＦＴＰサーバのアドレス（例：ｆｔｐ：／／ｆｔｐ．ｘｘｘ．ｃｏｍ／）になり、画像ファイルへのリンクアドレスは画像ファイルの閲覧できるホームページの　ＵＲＬ（例：ｈｔｔｐ：／／ｗｗｗ．ｘｘｘ．ｃｏｍ／ｇａｚｏｕ．ｈｔｍｌ）になる。このリンクアドレスはファイル送信部２６０１から電子メール編集部１０４に送られる。撮影条件としては先の実施形態においても説明したとうり、図２に示すような条件Ａ〜Ｅの１以上の任意の組み合わせにより特定することができる。
【０１２８】
図２７は画像撮影装置１０１ｂが送信する電子メールの例であるが、本電子メールの受信者は電子メールの本文を見ることによってリンクアドレス先の画像ファイルはセンサーが入力された場合に撮影された画像であることを即座に理解することが可能になる。
【０１２９】
また、本実施形態によって、画像撮影装置１０１ｂより画像データにアクセスするためのリンクアドレスが記載されたメールを受信した場合、メールの本文を見るだけでどういう条件で撮影された画像がわかるので次の行動がすみやかに行えるという効果がある。
【０１３０】
また、画像データを分離して、撮影情報の送信のみを電子メールで行なうことにより、電子メールの送信負荷を軽減することが可能になる。
【０１３１】
＜＜第８実施形態＞＞
図２９は第８実施形態にかかる画像撮影装置１０１ｃのブロック図である。同図において、７０１はメモリカード７０３を画像撮影装置１０１ｃに収容する為のメモリカードインタフェースであり、７０２はメモリカード７０３内に格納されているファイルの中で送信するファイルを指定する為のファイル指定部であり、７０３はメモリカードである。また、２６０１は画像ファイルをインターネット上のサーバに送信するファイル送信部である。
【０１３２】
図３０はメモリカード内の画像ファイルをインタネット上のサーバに送信した場合に、画像撮影装置１０１ｃが送信するメールの内容を例示する図である。
【０１３３】
図３１は第８実施形態における処理の流れを説明するフローチャートである。
第８実施形態にける画像撮影装置１０１ｃは、撮影条件が成立した場合に撮影を行い撮影した画像をインターネット上のサーバに送信し、画像へのリンクアドレスを電子メールで送信するという第７実施形態で説明した機能の他に、画像撮影装置１０１ｃがメモリカード１０３内に格納されている画像ファイルもインターネット上のサーバに送信して画像へのリンクアドレスを電子メールで送信するという機能も備えるものである。以下、図３１フローチャートに沿って第８実施形態の処理の流れを説明する。
【０１３４】
まず、ファイル指定部７０２によって指定されたメモリカード７０３内ファイルが指定されると、指定されたファイルをメモリカード７０３からメモリカードインタフェース７０１を介して読み込む（Ｓ１００２）。そして、ファイル送信部２６０１は読み込んだ画像ファイルをサーバへ転送する（Ｓ３１０１）。次に、サーバに転送した画像ファイルへのリンクアドレスをテキスト化した文と、転送した画像データを特定するためのテキスト文Ｆとを本文とした電子メールを電子メール編集部１０４は作成する（Ｓ３１０２）。そして、電子メール送信部１０５は作成した電子メールを送信（Ｓ６０５）して処理を終了する。
【０１３５】
本実施形態により、電子メールの受信者は電子メールの本文を見ることによって本文に記載されているリンクアドレスの画像ファイルはメモリカード内の画像ファイルであることを即座に理解することが可能になる。
【０１３６】
第８実施形態を実施することによって、画像撮影装置より画像へのリンクアドレスが記載されたメールを受信した場合にメールの本文を見るだけでメモリカード内のファイルであるということががわかるので次の行動がすみやかに行えるという効果がある。例えばメモリカード内のファイルは緊急度が低いので後で見て、それ以外の場合はすぐに画像を見るなど優先順位付けを行なう手段として時間の有効活用が可能になる。
【０１３７】
第８実施形態においてメモリとしてはメモリカードとした例を記載したが、メモリとしてはＲＡＭ、ハードディスク、ＣＤ−ＲＯＭ、フロッピーディスク等のファイルが記憶できる媒体であれば同様に利用することが可能である。
【０１３８】
＜＜第９実施形態＞＞
第９実施形態では、入力された撮影条件が設定されている撮影条件と一致する場合に撮影を行い、その撮影した画像をインタネット上のサーバに送信し、画像ファイルへのリンクアドレスを電子メールで送信する場合において、撮影した時刻及び／または撮影の日付をテキスト化して電子メールの本文に挿入するというものである。
【０１３９】
図３２は時刻情報を電子メールの本文に挿入した場合、画像撮影装置１０１ｂが送信するメールの内容を例示する図である。電子メール編集部１０４は撮影条件判定部１０８の判定の結果に基づいて、画像データの内容を特定するためのデータとして、テキスト文記憶エリア１０７から撮影条件に適合するテキスト文を選択し（１０７Ａ〜１０７Ｅ）、ここで選択されたテキスト文に、設定された時刻や日付の情報を付加して電子メールの本文のデータとして編集する。
【０１４０】
図３３は時刻情報と日付情報を電子メールの本文のデータとして編集した場合の電子メールの内容を例示する図である。図３２と図３３ともに設定時刻７時になった場合に撮影を行うという条件Ａ（予め設定された時刻になった場合に撮影する（図２を参照））によって撮影した画像ファイルを送信した場合を示している。
【０１４１】
図３４は図５のフローチャートの『撮影とメール送信』（Ｓ５１６）の処理において、第９実施形態における処理を具体的に説明するフローチャートである。
【０１４２】
まず、カメラ部１０２において画像が撮影され（Ｓ６０２）、画像ファイル作成部１０３はその画像に基づいて画像ファイルを作成する（Ｓ６０３）。次に、ファイル送信部２６０１は作成された画像ファイルをサーバへ転送する（Ｓ２８０１）。次にサーバに転送した画像ファイルへのリンクアドレスをテキスト化した文と、撮影条件に応じて選択したテキスト文と、時刻情報をテキスト化した文を本文とした電子メールを電子メール編集部１０４が作成する（Ｓ３４０１）。そして、電子メール送信部１０５は作成した電子メールを送信して（Ｓ６０５）、処理を終了する。
【０１４３】
図３２は第９実施形態にかかる画像撮影装置が送信する電子メールの例であるが、本電子メールの受信者は電子メールの本文を見ることによってリンクアドレス先の画像の撮影した時刻を即座に理解することが可能になる。
【０１４４】
第９実施形態を実施することによって、画像撮影装置より画像へのリンクアドレスが記載されたメールを受信した場合に、メールの本文を見るだけで撮影した時刻がわかるので次の行動がすみやかに行えるという効果がある。例えば何らかの原因でメールの受信が遅れた場合でも本文の撮影時刻等を見ることによって、撮影時刻等の早い順、遅い順など画像データの優先順位づけを行なうことが可能になり、電子メールの受信者はその優先順位に従い画像データをチェックすることで、時間の有効活用を図ることが可能になる。
【０１４５】
第９実施形態では時刻情報をメールの本文に挿入しているが、日付情報をメールの本文に挿入することもできる。
【０１４６】
また、日付情報と時刻情報を同時にメールの本文に入れることによってさらに時刻情報の精度があがるので日をまたがって遅れて受信したメールに関しても正確な処理が行える。
【０１４７】
また、第９実施形態においては第７、８実施形態で説明した撮影条件と一緒に時刻、日付の情報を本文に挿入しているが、この編集形式に限定されず、撮影時刻を本文データとして電子メールを編集してもよいし（図３５を参照）、撮影の時刻及び日付の情報だけを本文データとして電子メールを編集してもよい（図３６）。
【０１４８】
＜＜第１０実施形態＞＞
第７実施形態においては撮影条件に応じたテキスト文を電子メールの本文に挿入したが、第１０実施形態では撮影条件に応じたテキスト文を電子メールの表題に挿入するといものである。
【０１４９】
図３７は画像撮影装置１０１が送信するメールの内容の例である。図３７は条件Ｃ（センサー入力端子１１１に接続したセンサーの入力があった場合に撮影する）の場合の例である。
【０１５０】
図３８は図５のフローチャートの『撮影とメール送信』（Ｓ５１６）の処理において、第１０実施形態における処理を説明するフローチャートである。
【０１５１】
まず、カメラ部１０２において画像が撮影され（Ｓ６０２）、画像ファイル作成部１０３はその画像に基づいて画像ファイルを作成する（Ｓ６０３）。次に、ファイル送信部２６０１は作成された画像ファイルをサーバへ転送する（Ｓ２８０１）。そして、撮影条件に応じて選択したテキスト文を表題に挿入し、サーバに転送した画像ファイルへのリンクアドレスをテキスト化した文を本文に挿入した電子メールを電子メール編集部１０４は作成する（Ｓ３８０１）。そして、作成した電子メールは電子メール送信部１０５によって送信され（Ｓ６０５）、処理を終了する。
【０１５２】
尚、ステップＳ３８０１における撮影条件に応じたテキスト文の選択は、図５のフローチャートの工程に従うものとする。
【０１５３】
図３７は第１０実施形態にかかる画像撮影装置が送信する電子メールの例であるが、本電子メールの受信者は電子メールの表題を見ることによって本文に記載されているリンクアドレス先の画像ファイルはセンサーが入力された場合に撮影された画像であることを即座に理解することが可能になる。
【０１５４】
第１０実施形態を実施することによって、画像撮影装置１０１ｂより画像へのリンクアドレスが記載されたメールを受信した場合に、メールの表題を見るだけでどういう条件で撮影された画像がわかるので次の行動がすみやかに行えるという効果がある。例えばセンサー入力の場合は緊急であることが想定されるので、他の撮影条件の場合よりも優先順位を高くして画像データをチェックするなど、時間の有効活用を図ることが可能になる。
【０１５５】
＜＜第１１実施形態＞＞
第８実施形態においてはメモリカード内のファイルであることを示すテキスト文を電子メールの本文に挿入したが、第１１実施形態ではメモリカード内のファイルであることを示すテキスト文を電子メールの表題に挿入するといものである。
【０１５６】
図３９はメモリカード内の画像ファイルを添付ファイルとして送信した場合の画像撮影装置１０１ｃが送信するメールの内容の例である。
【０１５７】
図４０は第１１実施形態における処理の流れを説明するフローチャートである。第１１実施形態にける画像撮影装置１０１ｃは、撮影条件が成立した場合に撮影を行い撮影した画像をインターネット上のサーバに送信し、画像へのリンクアドレスを電子メールで送信するという第１０実施形態で説明した機能の他に、画像撮影装置１０１ｃがメモリカード７０３内（図２９を参照）に格納されている画像ファイルもインターネット上のサーバに送信し、画像へのリンクアドレスを電子メールで送信するという機能も備えるものである。以下、図４０フローチャートに沿って第１１実施形態の処理の流れを説明する。
【０１５８】
まず、ファイル指定部７０２によって指定されたメモリカード７０３内ファイルが指定されると、指定されたファイルをメモリカード７０３からメモリカードインタフェース７０１を介して読み込む（Ｓ１００２）。そして、ファイル送信部２６０１は読み込んだ画像ファイルをサーバへ転送する（Ｓ３１０１）。次に、メモリカードから読み込んだ画像データであることを特定するためのテキスト文Ｆ’を表題に挿入し、サーバに転送した画像ファイルへのリンクアドレスをテキスト化した文を本文に挿入した電子メールを電子メール編集部１０４は作成する（Ｓ４００１）。電子メール送信部１０５は作成された電子メールを送信して（Ｓ１００４）、処理を終了する。
【０１５９】
図３９は第１１実施形態にかかる画像撮影装置が送信する電子メールの例であるが、本電子メールの受信者は電子メールの表題を見ることによって本文に記載されているリンクアドレスの画像ファイルはメモリカード内の画像ファイルであることを即座に理解することが可能なる。
【０１６０】
第１１実施形態を実施することによって、画像へのリンクアドレスが記載されたメールを受信した場合に、メールの表題を見るだけでメモリカード内のファイルであるということががわかるので次の行動がすみやかに行えるという効果がある。例えばメモリカード内のファイルは緊急度が低いので後で見て、それ以外の場合はすぐに画像を見るなど優先順位付けを行なう手段として時間の有効活用が可能になる。
【０１６１】
第１１実施形態においてメモリとしてはメモリカードとした例を記載したが、メモリとしてはＲＡＭ、ハードディスク、ＣＤ−ＲＯＭ、フロッピーディスク等のファイルが記憶できる媒体であれば同様に利用することが可能である。
【０１６２】
＜＜第１２実施形態＞＞
第９実施形態においては撮影した時刻、日付をテキスト化して電子メールの本文に挿入したが、第１１実施形態では撮影した時刻・日付をテキスト化して電子メールの表題に挿入するといものである。
【０１６３】
図４１は時刻情報を電子メールの表題に挿入した場合の電子メールの内容を例示する図である。図４１は７時になった場合に撮影を行うという条件Ａ（予め設定された時刻になった場合に撮影する（図４を参照））によって撮影した画像ファイルを送信した場合を示している。
【０１６４】
図４２は図５のフローチャートの『撮影とメール送信』（Ｓ５１６）の処理において、第１２実施形態における処理を具体的に説明するフローチャートである。
【０１６５】
まず、カメラ部１０２において画像が撮影され（Ｓ６０２）、画像ファイル作成部１０３はその画像に基づいて画像ファイルを作成する（Ｓ６０３）。次に、ファイル送信部２６０１は作成された画像ファイルをサーバへ転送する（Ｓ２８０１）。次に撮影条件に応じて選択したテキスト文と時刻情報をテキスト化した文を表題に挿入し、サーバに転送した画像ファイルへのリンクアドレスをテキスト化した文を本文に挿入した電子メールを電子メール編集部１０４は作成する（Ｓ４２０１）。そして、電子メール送信部１０５は作成した電子メールを送信して（Ｓ６０５）、処理を終了する。
【０１６６】
図４１は第１２実施形態にかかる画像撮影装置１０１ｂが送信する電子メールの例であるが、本電子メールの受信者は電子メールの表題を見ることによって撮影した時刻を即座に理解することが可能になる。
【０１６７】
第１２実施形態を実施することによって、画像撮影装置より画像へのリンクアドレスが記載されたメールを受信した場合に、メールの表題を見るだけで撮影した時刻がわかるので次の行動がすみやかに行えるという効果がある。例えば何らかの原因でメールの受信が遅れた場合でも表題の撮影時刻等を見ることによって、撮影時刻等の早い順、遅い順など画像データの優先順位づけを行なうことが可能になり、電子メールの受信者はその優先順位に従い画像データをチェックすることで、時間の有効活用を図ることが可能になる。
【０１６８】
第１２実施形態では時刻情報をメールの表題に挿入しているが、日付情報をメールの本文に挿入することもできる。
【０１６９】
また、日付情報と時刻情報を同時にメールの表題に入れることによってさらに時刻情報の精度があがるので日をまたがって遅れて受信したメールに関しても正確な処理が行える。
【０１７０】
第１２実施形態においては第１０，１１実施形態で説明した撮影条件と一緒に時刻、日付の情報を本文に挿入しているが、この編集形式に限定されず、撮影時刻を表題データとして電子メールを編集してもよいし（図４３を参照）、撮影の時刻及び日付の情報だけを表題データとして電子メールを編集してもよい（図４４）。
【０１７１】
前述した実施形態の機能を実現する制御プログラム（各フローチャートに対応した処理をコンピュータに実行させる制御プログラム）は、画像撮影装置に直接或いは通信制御部１０６を介して遠隔から供給される。その場合、プログラムの機能を有していれば、オブジェクトコード、インタプリタにより実行されるプログラム、ＯＳに供給するスクリプトデータ等、プログラムの形態を問わない。
【０１７２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１７３】
【発明の効果】
以上説明したように、本発明によれば、画像の撮影された条件を電子メールで送信するようにしたので、容易に撮影理由を判断することが可能になる。
【図面の簡単な説明】
【図１】第１、第３、第４、第６実施形態にかかる画像撮影装置の構成を示すブロック図である。
【図２】第１、第３、第７、第９実施形態におけるテキスト文記憶エリア１０７の内容を説明する図である。
【図３】第１実施形態における画像撮影装置１０１が送信するメールの内容を説明する図である。
【図４】設定条件設定エリア１１５に設定されている撮影条件の内容を例示する図である。
【図５】画像撮影装置の動作を示すフローチャートである。
【図６】画像の撮影と電子メールの送信の処理の流れを説明するフローチャートである。
【図７】第２、第５実施形態にかかる画像撮影装置の構成を示すブロック図である。
【図８】第２、第８実施形態におけるテキスト文記憶エリア１０７の内容の内容を説明する図である。
【図９】第２実施形態における画像撮影装置１０１ａが送信するメールの内容を説明する図である。
【図１０】第２実施形態における画像データの読み込みと電子メールの送信の処理の流れを説明するフローチャートである。
【図１１】第３実施形態における画像撮影装置１０１が送信するメールの内容（撮影条件と時刻）を説明する図である。
【図１２】第３実施形態における画像撮影装置１０１が送信するメールの内容（撮影条件と日付と時刻）を説明する図である。
【図１３】第３実施形態における画像の撮影と電子メールの送信の処理の流れを説明するフローチャートである。
【図１４】第３実施形態における画像撮影装置１０１が送信するメールの内容（時刻のみ）を説明する図である。
【図１５】第３実施形態における画像撮影装置１０１が送信するメールの内容（日付と時刻のみ）を説明する図である。
【図１６】第４、第６、第１０、第１２実施形態におけるテキスト文記憶エリア１０７の内容を説明する図である。
【図１７】第４実施形態における画像撮影装置１０１が送信するメールの内容を説明する図である。
【図１８】第４実施形態における画像の撮影と電子メールの送信の処理の流れを説明するフローチャートである。
【図１９】第５実施形態におけるテキスト文記憶エリア１０７の内容を説明する図である。
【図２０】第５実施形態における画像撮影装置１０１ａが送信するメールの内容を説明する図である。
【図２１】第５実施形態における画像データの読み込みと電子メールの送信の処理の流れを説明するフローチャートである。
【図２２】第６実施形態における画像撮影装置１０１が送信するメールの内容（撮影条件と時刻）を説明する図である。
【図２３】第６実施形態における画像の撮影と電子メールの送信の処理の流れを説明するフローチャートである。
【図２４】第６実施形態における画像撮影装置１０１が送信するメールの内容（時刻のみ）を説明する図である。
【図２５】第６実施形態における画像撮影装置１０１が送信するメールの内容（日付と時刻のみ）を説明する図である。
【図２６】第７、第９、第１０、第１２実施形態にかかる画像撮影装置の構成を示すブロック図である。
【図２７】第７実施形態における画像撮影装置１０１ｂが送信するメールの内容を説明する図である。
【図２８】第７実施形態における画像の撮影と電子メールの送信の処理の流れを説明するフローチャートである。
【図２９】第８、第１１実施形態にかかる画像撮影装置の構成を示すブロック図である。
【図３０】第８実施形態における画像撮影装置１０１ｃが送信するメールの内容を説明する図である。
【図３１】第８実施形態における画像データの読み込みと電子メールの送信の処理の流れを説明するフローチャートである。
【図３２】第９実施形態における画像撮影装置１０１ｂが送信するメールの内容（撮影条件と時刻）を説明する図である。
【図３３】第９実施形態における画像撮影装置１０１ｂが送信するメールの内容（撮影条件と日付と時刻）を説明する図である。
【図３４】第９実施形態における画像の撮影と電子メールの送信の処理の流れを説明するフローチャートである。
【図３５】第９実施形態における画像撮影装置１０１ｂが送信するメールの内容（時刻のみ）を説明する図である。
【図３６】第９実施形態における画像撮影装置１０１ｂが送信するメールの内容（日付と時刻のみ）を説明する図である。
【図３７】第１０実施形態における画像撮影装置１０１ｂが送信するメールの内容を説明する図である。
【図３８】第１０実施形態における画像の撮影と電子メールの送信の処理の流れを説明するフローチャートである。
【図３９】第１１実施形態における画像撮影装置１０１ｃが送信するメールの内容を説明する図である。
【図４０】第１１実施形態における画像データの読み込みと電子メールの送信の処理の流れを説明するフローチャートである。
【図４１】第１２実施形態における画像撮影装置１０１ｂが送信するメールの内容（撮影条件と時刻）を説明する図である。
【図４２】第１２実施形態における画像の撮影と電子メールの送信の処理の流れを説明するフローチャートである。
【図４３】第１２実施形態における画像撮影装置１０１ｂが送信するメールの内容（時刻のみ）を説明する図である。
【図４４】第１２実施形態における画像撮影装置１０１ｂが送信するメールの内容（日付と時刻のみ）を説明する図である。
【符号の説明】
１０１・・・画像撮影装置
１０２・・・カメラ部
１０３・・・画像ファイル作成部
１０４・・・電子メール編集部
１０５・・・電子メール送信部
１０６・・・通信制御部
１０７・・・テキスト文記憶エリア
１０７Ａ〜１０７Ｅ・・・撮影条件Ａ〜Ｅに対応したテキスト文
１０８・・・撮影条件判定部
１０９・・・時刻通知部
１１０・・・タイマ
１１１・・・センサー入力端子
１１２・・・マイク
１１３・・・音入力レベル判定部
１１４・・・撮影ボタン
１１５・・・撮影条件設定エリア
１１６・・・撮影条件設定部
７０１・・・メモリカードインタフェース
７０２・・・ファイル指定部
７０３・・・メモリカード
２６０１・・・ファイル送信部
【図１】
2004088482.tif 000003
【図２】
2004088482.tif 000004
【図３】
2004088482.tif 000005
【図４】
2004088482.tif 000006
【図５】
2004088482.tif 000007
【図６】
2004088482.tif 000008
【図７】
2004088482.tif 000009
【図８】
2004088482.tif 000010
【図９】
2004088482.tif 000011
【図１０】
2004088482.tif 000012
【図１１】
2004088482.tif 000013
【図１２】
2004088482.tif 000014
【図１３】
2004088482.tif 000015
【図１４】
2004088482.tif 000016
【図１５】
2004088482.tif 000017
【図１６】
2004088482.tif 000018
【図１７】
2004088482.tif 000019
【図１８】
2004088482.tif 000020
【図１９】
2004088482.tif 000021
【図２０】
2004088482.tif 000022
【図２１】
2004088482.tif 000023
【図２２】
2004088482.tif 000024
【図２３】
2004088482.tif 000025
【図２４】
2004088482.tif 000026
【図２５】
2004088482.tif 000027
【図２６】
2004088482.tif 000028
【図２７】
2004088482.tif 000029
【図２８】
2004088482.tif 000030
【図２９】
2004088482.tif 000031
【図３０】
2004088482.tif 000032
【図３１】
2004088482.tif 000033
【図３２】
2004088482.tif 000034
【図３３】
2004088482.tif 000035
【図３４】
2004088482.tif 000036
【図３５】
2004088482.tif 000037
【図３６】
2004088482.tif 000038
【図３７】
2004088482.tif 000039
【図３８】
2004088482.tif 000040
【図３９】
2004088482.tif 000041
【図４０】
2004088482.tif 000042
【図４１】
2004088482.tif 000043
【図４２】
2004088482.tif 000044
【図４３】
2004088482.tif 000045
【図４４】
2004088482.tif 000046